(57)【要約】【課題】ノートパソコンのような携帯型情報処理装置の脚ゴムとハンドストラップを構成するパッド部との関連において、脚ゴムの突出量がパッド部より少ないと本来の脚ゴムの機能である滑り防止機能が働かない場合がある。【解決手段】ノートパソコンのような携帯型情報処理装置に装着するハンドストラップであって、ベルト部２と、携帯型情報処理装置を載置したときの滑り防止のための突出部３−ａとベルト部により保持される保持部３−ｂからなる脚ゴム部３と、ハンドストラップを携帯型情報処理装置に固定する固定部５とを備えたハンドストラップとする。これにより本体底面の最も突出した部分に脚ゴムを配置することを可能にする。また、脚ゴム部３にベルト部２の長さ調節機能を持たせることも可能である。【選択図】図１
2007102532.tif 000002
【特許請求の範囲】
【請求項１】
携帯型情報処理装置に装着するハンドストラップであって、
ベルト部と、
前記携帯型情報処理装置を載置したときの滑り防止のための突出部と前記ベルト部により保持される保持部からなる脚ゴム部と、
前記ハンドストラップを前記携帯型情報処理装置に固定する固定部と、
を備えたことを特徴とする情報処理装置のハンドストラップ。
【請求項２】
前記脚ゴム部に前記ベルト部の長さ調節機能を持たせることを特徴とする請求項１に記載の情報処理装置のハンドストラップ。
【発明の詳細な説明】
【技術分野】
【０００１】
本発明は、ノートパソコンのような携帯型情報処理装置（以下、総称してノートパソコン）の携帯性を向上するハンドストラップ（吊りひも、ベルト、以下総称してハンドストラップ）の構造に関するものである。
【背景技術】
【０００２】
近年、パーソナルコンピュータでもノートパソコンのような携帯性にすぐれた情報機器が一般的である。また携帯性を向上するためにハンドストラップを装着したものも少なくない。
【０００３】
以下に従来のハンドストラップを装着したノートパソコンについて説明する。
【０００４】
図３は従来のハンドストラップを装着したノートパソコンを示す図である。図３（ａ）において、１７はノートパソコン本体である。携帯性を向上するためハンドストラップ１１をノートパソコン本体１７に装着している。１３は脚ゴムであり、机などの平坦部分に載置したときにノートパソコン本体１７がすべらないように４箇所に付加している。また図３（ｂ）では図のように左手のひらをハンドストラップ１１に通してノートパソコン本体１７を保持して右手でノートパソコンの操作をすることができる。
【０００５】
図４は別の従来のハンドストラップを装着したノートパソコンを示す図である。図４（ａ）において２３はハンドストラップ２１をノートパソコン本体に装着、固定する部分と脚ゴムを兼用したものである。この場合、ハンドストラップと脚ゴムを一体成形しているためゴムやエラストマーのように伸縮性があり、かつ滑りにくい材質が好適である。
【０００６】
図４（ｂ）ではハンドストラップのベルト部３２の材質を縫製した布状のものとして、パッド部３４で覆われて記載されていないが、ベルト部３２の一部にマジックテープ（登録商標）が付加してありこの部分で長さを調節できるように構成したものであり、脚ゴム３３はハンドストラップ３１をノートパソコン本体に固定する部分付近に配置している。
【特許文献１】特開平８ー３３１２１８号公報
【特許文献２】特開平１０ー２７３４０６号公報
【特許文献３】特開平１１ー２８２５７０号公報
【発明の開示】
【発明が解決しようとする課題】
【０００７】
しかしながら上記の従来の構成では、以下に述べるような問題点を有している。
【０００８】
図４（ａ）のようなハンドストラップと脚ゴムを一体成形し、ゴムやエラストマーのような伸縮性があり、かつ滑りにくい材質を採用したハンドストラップの構成では、その伸縮性に自ずと限界があり、無理に伸ばした場合や材料の劣化で切れる場合もある。
【０００９】
また図４（ｂ）のようにハンドストラップと脚ゴムを分離し、ハンドストラップに縫製した布状の材質を採用し、ベルト部に長さを調節できる構成では、脚ゴム３３の突出量がパッド部３４より少ないと本来の脚ゴムの機能である滑り防止機能が働かない場合がある。
【００１０】
本発明は上記従来の問題点を解決するもので、ハンドストラップを装着したノートパソコンにおいて、ハンドストラップと脚ゴムを一体にすることでノートパソコンの本体底面の最も突出した部分に脚ゴムを配置することが可能となり、本来の脚ゴムの機能である滑り防止機能が正しく働くことを目的とする。また脚ゴムにハンドストラップの長さ調節機能をもたせることも可能となる。
【課題を解決するための手段】
【００１１】
本発明の請求項１に記載の発明は、
携帯型情報処理装置に装着するハンドストラップであって、
ベルト部と、
前記携帯型情報処理装置を載置したときの滑り防止のための突出部と前記ベルト部により保持される保持部からなる脚ゴム部と、
前記ハンドストラップを前記携帯型情報処理装置に固定する固定部と、
を備えたことを特徴とする情報処理装置のハンドストラップ
としたものであり、情報処理装置の本体底面の最も突出した部分に脚ゴムを配置することを可能にするという作用を有する。
【００１２】
請求項２に記載の発明は、
前記脚ゴム部に前記ベルト部の長さ調節機能を持たせることを特徴とする請求項１に記載の情報処理装置のハンドストラップ
としたものであり、脚ゴムにハンドストラップの長さ調節機能をもたせることを可能にするという作用を有する。
【発明の効果】
【００１３】
以上のように本発明によれば、ハンドストラップを装着したノートパソコンにおいて、ハンドストラップと脚ゴムを一体にすることでノートパソコンの本体底面の最も突出した部分に脚ゴムを配置することが可能となり、また脚ゴムにハンドストラップの長さ調節機能をもたせることも可能となる。
【発明を実施するための最良の形態】
【００１４】
以下、本発明の実施の形態について、図１から図２を用いて説明する。
【００１５】
（実施の形態１）
図１は本発明のノートパソコンに装着するハンドストラップの構成図である。
【００１６】
図１において、１はノートパソコン底面７に装着するハンドストラップ、２はハンドストラップ１のベルト部で縫製した布状材質のものが好適である。３は脚ゴム部で突出部３−ａとベルト部２とで保持される保持部３−ｂからなる。４は手のひらをノートパソコン本体７とストラップ１の間に挿入するときに手の甲に当たるパッド部であり、ノートパソコンを持ち運ぶ場合にはこの部分を手で握って携帯してもよいし、この部分にブランドのロゴマークを印刷してもよい。５はハンドストラップ１をノートパソコン底部７に固定する固定部、６は固定部５とベルト部２を連結する金具である。
【００１７】
図２は本発明のノートパソコンに装着するハンドストラップの断面図である。
【００１８】
以上のように構成されたハンドストラップについて詳細を説明する。
【００１９】
図２のようにベルト部２の端が脚ゴム部３に固着されており、脚ゴム部３を図の矢印方向に移動することでハンドストラップ１全体の長さを調節できるようになっている。ハンドストラップ１はノートパソコンを机などの平坦部に載置して使用するときは図１のように最も短くして使用する。この時脚ゴム部３の突出部３−ａはパッド部４よりも突出するのでノートパソコンを平坦部に載置したときには突出部３−ａは本来の脚ゴムの機能である滑り防止機能として働く。
【００２０】
また、保持部３−ｂはベルト部２とで脚ゴム部３を保持するだけでなくノートパソコン本体の底面１と脚ゴム部３の平坦部３−ｃ面で接してノートパソコン全体を支え、脚ゴム部３はその材質の特性で３−ｃ面とノートパソコン底面７とが滑らないようにする。３−ｃ面をより滑りにくくするために摩擦係数を高くするような面に加工することが好ましい。その一部を図１の３−ｃまたは図２点線円内に図示するが、脚ゴム３とノートパソコン底部７との接触面全体に滑りにくくする面加工をするのがより好ましい。
【００２１】
以上のように本実施の形態によれば、ハンドストラップを装着したノートパソコンにおいて、ハンドストラップと脚ゴムを一体にすることでノートパソコンの本体底面の最も突出した部分に脚ゴムを配置することが可能となり、また脚ゴムにハンドストラップの長さ調節機能をもたせることも可能となる。
【００２２】
なお、図２において、２つある脚ゴム部３のうち一方（左）のみを記載してハンドストラップ１全体の長さを調節できるように示したが、２つある脚ゴム両方にこのような長さ調節機能を持たせるようにしても良いもとは言うまでもない。この場合、２つある脚ゴム両方にハンドストラップ１の長さ調節機能を持たせることで長さ調節の範囲がより拡がる利点がある。
【００２３】
また、ハンドストラップの長さ調節機能を脚ゴム以外に持たせるようにして、例えば従来の技術でも説明したようにパッド部４で覆われた部分のベルト部２の一部にマジックテープ（登録商標）を付加してハンドストラップの長さを調節できるように構成すれば、脚ゴム３はハンドストラップの長さに関係なく移動可能なので、脚ゴム３を最適な位置に配置することができる。
【産業上の利用可能性】
【００２４】
本発明にかかる情報処理装置のハンドストラップは、ハンドストラップと脚ゴムを一体にすることで情報処理装置の本体底面の最も突出した部分に脚ゴムを配置することが可能となり、また脚ゴムにハンドストラップの長さ調節機能をもたせることも可能となるという効果を有し、ノートパソコンのような携帯型情報処理装置の携帯性を向上するハンドストラップ等として有用である。
【図面の簡単な説明】
【００２５】
【図１】本発明のノートパソコンに装着するハンドストラップの構成図
【図２】本発明のノートパソコンに装着するハンドストラップの断面図
【図３】従来のハンドストラップを装着したノートパソコンを示す図
【図４】従来のハンドストラップを装着したノートパソコンを示す図
【符号の説明】
【００２６】
１  ハンドストラップ
２  ベルト部
３  脚ゴム部
４  パッド部
５  固定部
６  金具
７  ノートパソコン底部
【図１】
2007102532.tif 000003
【図２】
2007102532.tif 000004
【図３】
2007102532.tif 000005
【図４】
2007102532.tif 000006